(57)【要約】【課題】転動体と保持器との接触面積を低減することにより回転トルクを低くすることができる転がり軸受用保持器を提供する。【解決手段】転がり軸受の転動体２を転動自在に保持するポケット３を周方向の複数箇所に配置してなる環状の保持器１。ポケット３の内周面３ａの転動体２と接触する部分に、転動体２との接触面積を低減する凹凸面４が設けられている。【選択図】図１
2008240982.tif 000002
【特許請求の範囲】
【請求項１】
転がり軸受の転動体を転動自在に保持するポケットを周方向の複数箇所に配置してなる環状の保持器であって、前記ポケットの内周面の前記転動体と接触する部分に、当該転動体との接触面積を低減する凹凸面が設けられていることを特徴とする転がり軸受用保持器。
【請求項２】
前記保持器が玉軸受用の冠形保持器であって、前記凹凸面が前記ポケットの内周面の軸方向内奥部に設けられているとともに、当該凹凸面の面積が前記ポケットの内周面の全面積の２分の１を占めている請求項１に記載の転がり軸受用保持器。
【発明の詳細な説明】
【技術分野】
【０００１】
本発明は、転がり軸受用保持器に関する。
【背景技術】
【０００２】
従来、転がり軸受においては、複数の転動体を一定間隔に保持して、隣り合う転動体同士が接触して摩擦を起こすことを防ぐために保持器が用いられている。例えば、玉軸受に用いる合成樹脂製の冠形保持器１０１は、図４に示すような環状体の円周複数箇所に玉と相似形状の凹球面状をしたポケット内周面１０３ａを有する玉収容用のポケット１０３を備えている（例えば、特許文献１参照）。
【０００３】
【特許文献１】特開平７−２７９９７０号公報
【発明の開示】
【発明が解決しようとする課題】
【０００４】
このような冠形保持器１０１を用いた転がり軸受を回転させると、玉と前記保持器１０１のポケット内周面１０３ａとは、ポケット１０３の軸方向内奥部（図４においてＰで示す）及び開口部付近（図４においてＱで示す）において面接触することになるが、その接触面積が大きいことから玉軸受の高トルク化が問題となっていた。
本発明はこのような事情に鑑みてなされたものであり、転動体と保持器との接触面積を低減することにより回転トルクを低くすることができる転がり軸受用保持器を提供することを目的としている。
【課題を解決するための手段】
【０００５】
本発明の転がり軸受用保持器は、転がり軸受の転動体を転動自在に保持するポケットを周方向の複数箇所に配置してなる環状の保持器であって、前記ポケットの内周面の前記転動体と接触する部分に、当該転動体との接触面積を低減する凹凸面が設けられていることを特徴としている。
【０００６】
この転がり軸受用保持器によれば、ポケットの内周面の転動体と接触する部分に凹凸面を設けることにより、転動体が凹凸面の凸部と接触することになるため、ポケットの内周面と転動体との接触面積を低減することができる。これにより、ポケットの内周面と転動体とが接触するときに発生するトルクが低減されるため、回転トルクを低くすることができる。
【０００７】
上記転がり軸受用保持器において、前記保持器が玉軸受用の冠形保持器である場合には、前記凹凸面を前記ポケットの軸方向内奥部に設けるとともに、当該凹凸面の面積が前記ポケットの内周面の全面積の２分の１を占めるようにしてもよい。
この場合、玉が接触しやすいポケットの軸方向内奥部に、ポケットの内周面の全面積の２分の１の面積を占めるように凹凸面を設けることによって、ポケットの内周面と転動体との接触面積を効果的に低減することができる。
【発明の効果】
【０００８】
本発明の転がり軸受用保持器によれば、転動体と保持器との接触面積を低減することにより回転トルクを低くすることができる。
【発明を実施するための最良の形態】
【０００９】
以下、本発明の実施形態を、添付した図面に基づいて説明する。
図１は、本発明の１つの実施形態に係る転がり軸受用保持器を示す斜視説明図である。この転がり軸受用保持器（以下、単に保持器という場合もある）１は、玉軸受用の保持器であり、玉軸受の内輪と外輪との間に組み付けられ、内輪外周面に形成された内輪軌道面と、外輪内周面に形成された外輪軌道面との間に転動自在に配設される複数の転動体としての玉２を一定の間隔で保持するためのものである。この保持器１は、合成樹脂製であり、いわゆる冠形として構成されている。
【００１０】
図２は、図１に示される保持器１の拡大斜視説明図であり、図３は図２の側面説明図である。
保持器１は、転動体である玉２を保持するポケット３を、周方向の複数箇所に配置してなる環状体である。ポケット３は、玉２と相似形状で且つ玉２の曲率半径よりも若干大きな曲率半径を有する凹球面状のポケット内周面３ａを有している。そして、玉軸受が回転すると玉２が転動しながらこのポケット内周面３ａに接触する。
【００１１】
そして、このポケット内周面３ａには、ポケット３の軸方向内奥部に凹凸面４が設けられている。この凹凸面４は、玉２とポケット内周面３ａとの接触面積を低減するものであって、凸部である突起４ａを複数設けることによって凹凸面４が形成されている。ポケット内周面３ａの全面積を１とした場合、この凹凸面４（図２において斜線で示されている）の面積は２分の１（０．５）である。すなわち、図２のＡとＢとを結ぶ円弧と直線ＢＣとＣとＤとを結ぶ円弧と直線ＤＡとで囲まれた部分の面積がポケット内周面３ａの全面積の２分の１（０．５）を占めることになる。なお、本実施の形態では、突起４ａは図３に示すように断面半球面状に形成されており、凹凸面４における凹凸の差（突起４ａの高さ）は２０μｍ程度に設定されている。
【００１２】
このように構成された保持器１にあっては、ポケット３の内周面３ａの転動体（玉）２と接触する部分に凹凸面４を設けることにより、玉２が凹凸面４の凸部（突起）４ａと接触することになるため、ポケット３の内周面３ａと玉２との接触面積を低減することができる。これにより、ポケット内周面３ａと玉２とが接触するときに発生するトルクが低減されるため、回転トルクを低くすることができる。本実施形態においては、特に玉２が接触しやすいポケット３の軸方向内奥部に、ポケット内周面３ａの全面積の２分の１の面積を占めるように凹凸面４を設けているので、ポケット内周面３ａと玉２との接触面積が効果的に低減されている。
【００１３】
本発明は、上記実施形態に限定されることなく適宜変更することが可能である。上記実施形態においては、冠形の保持器としているが、波形等の他の形状の保持器としてもよい。また、転がり軸受として玉軸受を採用した場合について説明したが、本発明の保持器は、他の転がり軸受、例えば、円錐ころ軸受、針状ころ軸受等、あらゆるタイプの転がり軸受用の保持器に適用することが可能である。
【００１４】
上記実施形態では凹凸面４の凸部である突起４ａの形状を断面半球状として記載したが、突起４ａの形状は、例えば、円柱状、四角柱状、円錐台状、角錐台状等としてもよく、加工性等を考慮して任意の形状に形成することができる。また、上記実施形態では凸部である突起４ａを複数設けることによって凹凸面４を形成しているが、転動体との接触面積を低減すればよいため、凹部、例えば凹溝を形成することによって凹凸面４を形成することも可能である。さらに、上記実施形態では、凹凸面４をポケット３の軸方向内奥部に設け、その面積がポケット内周面３ａの全面積の２分の１を占める場合について説明したが、凹凸部４はポケット内周面３ａの転動体２と接触する部分に形成されていればよいのであって、軸方向内奥部以外の部分に設けることも可能であり、またその面積も全面積の２分の１に限られるものではない。
【図面の簡単な説明】
【００１５】
【図１】本発明の１つの実施形態に係る転がり軸受用保持器を示す斜視説明図である。
【図２】図１に示される転がり軸受用保持器の拡大斜視説明図である。
【図３】図２の側面説明図である。
【図４】従来の保持器の拡大斜視説明図である。
【符号の説明】
【００１６】
１      保持器
２      玉（転動体）
３      ポケット
３ａ    ポケット内周面
４      凹凸面
４ａ    突起（凸部）
【図１】
2008240982.tif 000003
【図２】
2008240982.tif 000004
【図３】
2008240982.tif 000005
【図４】
2008240982.tif 000006